(57)【要約】【課題】外部に接続されたオーディオユニット等の増幅手段を利用可能なマルチメディア端末及びこれを備えたマルチメディアシステムを提供することを目的とする。【解決手段】マルチメディア端末としての情報通信端末１２に、アンプ３２Ｌ、３２Ｒを有する専用オーディオユニット２０Ａが接続されているか否か判定し、専用オーディオユニット２０Ａが接続され、情報通信端末の音源による音楽再生が指示された場合には、専用オーディオユニット２０Ａのアンプ３２Ｌ、３２Ｒを用いてスピーカＦＬ、ＦＲ、ＲＬ、ＲＲから音声出力する。専用オーディオユニットが接続されておらず、情報通信端末１２の音源による音楽再生が指示された場合には、切換手段１６Ｌ、１６Ｒを切り換えて情報通信端末１２のアンプ３０Ｌ、３０Ｒを用いてスピーカＦＬ、ＦＲから音声出力する。【選択図】　　　　図２
2004140686.tif 000002
【特許請求の範囲】
【請求項１】
音楽データを含む音声データを出力する音源と、
前記音声データに基づく音声を出力する音声出力手段と、
前記音声出力手段により音声を出力するための前記音声データを増幅する内部増幅手段と、
前記音声出力手段により音声を出力するための前記音声データを増幅する、外部に設けられた外部増幅手段の接続を検出する検出手段と、
前記音声データを増幅する、前記内部増幅手段と前記外部増幅手段とを切り換えて、増幅された前記音声データを前記音声出力手段に出力する切換手段と、
前記検出手段の検出結果に基づいて、前記切換手段を制御する切換制御手段と、
を含む車載用マルチメディア端末。
【請求項２】
前記切換制御手段は、さらに前記音源から出力される音声データの種類に基づいて、前記切換手段を制御することを特徴とする請求項１に記載の車載用マルチメディア端末。
【請求項３】
前記切換手段は、デフォルトの状態で、前記外部増幅手段によって増幅された前記音声データを前記音声出力手段に出力することを特徴とする請求項１又は請求項２に記載の車載用マルチメディア端末。
【請求項４】
請求項１乃至請求項３の何れか１項に記載の車載用マルチメディア端末と、
前記検出手段により前記外部増幅手段を検出するための通信を行う通信手段と、
前記音声データを出力するオーディオ音源と、
前記音声データに基づく音声を出力する副音声出力手段と、
前記音声出力手段及び前記副音声出力手段により音声を出力するための前記音声データを増幅するオーディオ増幅手段と、
前記音源から出力される前記音声データと前記オーディオ音源から出力される前記音声データとを切り換えて、前記オーディオ増幅手段に出力するオーディオ切換手段と、
前記切換制御手段が前記外部増幅手段によって増幅された前記音声データを前記音声出力手段に出力するように前記切換手段を制御するときに、前記音源からの前記音声データを前記オーディオ増幅手段によって増幅して、前記音声出力手段及び前記副音声出力手段より音声を出力するように前記オーディオ切換手段を制御する制御手段と、
を含むオーディオユニットと、
からなることを特徴とする車載用マルチメディアシステム。
【請求項５】
前記マルチメディア端末及び前記オーディオユニットは、前記音声出力手段から出力する音声の音量を調節する調節手段をそれぞれさらに含み、前記切換手段によって前記外部増幅手段によって増幅された前記音声データを前記音声出力手段に出力するよう切り換えられたときに、前記オーディオユニットの前記調節手段によって前記音量調節を行うことを特徴とする請求項４に記載の車載用マルチメディアシステム。
【発明の詳細な説明】
【０００１】
【発明の属する技術分野】
本発明は、車載用マルチメディア端末及び車載用マルチメディアシステムにかかり、特に、ナビゲーション機能や音楽再生機能等を有するマルチメディア端末及び当該マルチメディア端末に音楽再生可能なオーディオ装置が接続された車載用マルチメディアシステムに関する。
【０００２】
【従来の技術】
車両に搭載され、ＬＡＮ（Ｌｏｃａｌ　Ａｒｉａ　Ｎｅｔｗｏｒｋ）接続されたオーディオシステムは、一般的に、主制御を行うオーディオヘッドユニットの存在を前提に構成されている。なお、ディスプレイを有するマルチメディア端末がオーディオヘッドユニットと一体で形成され、スレーブとなる他の音源専用機器（例えば、外付けのＣＤチェンジャー等）と共にシステムを構成する場合も同様にヘッドユニットの存在を前提に構成されている。
【０００３】
例えば、特許文献１に記載の技術では、スピーカーと、オーディオユニットと、ナビゲーション装置とを基本構成とした車載用マルチメディアシステムが提案されている。特許文献１に記載の技術では、ナビゲーション装置及びオーディオユニットのそれぞれに音声出力部を有しており、スピーカーに出力する音声をスイッチによって選択的に切り換える構成とされている。
【０００４】
【特許文献１】
特開２０００−２６６５５８号公報（第４頁、第１図）
【０００５】
【発明が解決しようとする課題】
しかしながら、特許文献１に記載の技術では、オーディオユニットとナビゲーション装置のそれぞれに音声を増幅するアンプを備えているが、ナビゲーション装置側からの音声出力についてオーディオユニット側のアンプを利用することができない、という問題がある。
【０００６】
また、オーディオを一体としない情報通信端末が音楽コンテンツ等のマルチメディア機能を有するときには、音声の再生を行うためにアンプを保有するオーディオヘッドユニットとセットでなければシステムを構成することができない。すなわち、仕様上の制約が生じ、マルチメディア端末だけを独立で設定することができない、という問題がある。
【０００７】
本発明は、上記問題を解決すべく成されたもので、外部に接続されたオーディオユニット等の増幅手段を利用可能なマルチメディア端末及びこれを備えたマルチメディアシステムを提供することを目的とする。
【０００８】
【課題を解決するための手段】
上記目的を達成するために請求項１に記載の発明は、音楽データを含む音声データを出力する音源と、前記音声データに基づく音声を出力する音声出力手段と、前記音声出力手段により音声を出力するための前記音声データを増幅する内部増幅手段と、前記音声出力手段により音声を出力するための前記音声データを増幅する、外部に設けられた外部増幅手段の接続を検出する検出手段と、前記音声データを増幅する、前記内部増幅手段と前記外部増幅手段とを切り換えて、増幅された前記音声データを前記音声出力手段に出力する切換手段と、前記検出手段の検出結果に基づいて、前記切換手段を制御する切換制御手段と、を含むことを特徴としている。
【０００９】
請求項１に記載の発明によれば、音源では、音楽データを含む音声データが出力される。例えば、音源は、メモリカード等の記憶媒体に記憶された音楽データを読出して出力したり、ナビゲーション装置等の音声ガイドを表す音声データを出力したりすることが可能である。
【００１０】
音声出力手段では、音源等から出力される音声データに基づく音声が出力される。また、音声出力手段より出力するための音声データは、内部増幅手段によって増幅される。すなわち、内部増幅手段によって増幅された音声データに基づく音声を音声出力手段から出力することが可能となる。
【００１１】
また、検出手段では、音声出力手段により音声を出力するための音声データを増幅する、外部に設けられた外部増幅手段がマルチメディア端末に接続されているか否かが検出される。
【００１２】
切換手段では、音声データを増幅する内部増幅手段と外部増幅手段が切り換えられて、増幅された音声データが音声出力手段に出力される。
【００１３】
そして、切換制御手段は、検出手段の検出結果に基づいて、切換手段が制御される。すなわち、外部増幅手段がマルチメディア端末に接続されている場合には、外部増幅手段を用いて音声データを増幅して音声出力手段で音声を出力することができる。従って、外部に接続されたオーディオユニット等の増幅手段を利用することが可能となる。
【００１４】
なお、切換制御手段は、請求項２に記載の発明のように、さらに音源から出力される音声データの種類に基づいて、切換手段を制御するようにしてもよい。例えば、音楽データの場合には、外部増幅手段を用いて増幅して音声出力手段より音声を出力するようにし、ナビゲーション装置等の音声ガイドを表す音声データの場合には、内部増幅手段を用いて増幅して音声出力手段より音声を出力するようにすることが可能である。
【００１５】
また、切換手段は、請求項３に記載の発明のように、デフォルトの状態で、外部増幅手段によって増幅された音声データを音声出力手段に出力するようにしてもよい。このようにデフォルトの状態を設定することによって、外部に汎用のオーディオユニットが接続された場合でも音声データを音声出力手段を用いて出力することが可能となる。
【００１６】
請求項４に記載の発明は、請求項１乃至請求項３の何れか１項に記載の車載用マルチメディア端末と、前記検出手段により前記外部増幅手段を検出するための通信を行う通信手段と、前記音声データを出力するオーディオ音源と、前記音声データに基づく音声を出力する副音声出力手段と、前記音声出力手段及び前記副音声出力手段により音声を出力するための前記音声データを増幅するオーディオ増幅手段と、前記音源から出力される前記音声データと前記オーディオ音源から出力される前記音声データとを切り換えて、前記オーディオ増幅手段に出力するオーディオ切換手段と、前記切換制御手段が前記外部増幅手段によって増幅された前記音声データを前記音声出力手段に出力するように前記切換手段を制御するときに、前記音源からの前記音声データを前記オーディオ増幅手段によって増幅して、前記音声出力手段及び前記副音声出力手段より音声を出力するように前記オーディオ切換手段を制御する制御手段と、を含むオーディオユニットと、からなることを特徴としている。
【００１７】
請求項４に記載の発明によれば、請求項１乃至請求項３の何れか１項に記載のマルチメディア端末と、オーディオユニットと、によってマルチメディアシステムが構成される。
【００１８】
オーディオユニットには、通信手段と、オーディオ音源、副音声出力手段、オーディオ増幅手段、オーディオ切換手段、及び制御手段が設けられており、通信手段では、マルチメディア端末の検出手段により外部増幅手段を検出するための通信が行われる。すなわち、マルチメディア端末では、オーディオユニットのオーディオ増幅手段を外部増幅手段として検出することができる。
【００１９】
オーディオ音源は、例えば、ＣＤプレーヤ、ＭＤプレーヤ、カセットプレーヤ、メモリカードプレーヤ等を適応可能であり、各種音楽データなどの音声データを出力する。
【００２０】
副音声出力手段では、音声出力手段と同様に、音声データに基づく音声が出力される。また、オーディオ増幅手段では、音声出力手段及び副音声出力手段から音声を出力するための音声データが増幅される。すなわち、オーディオ増幅手段によって増幅された音声データに基づく音声を音声出力手段及び副音声出力手段から出力することが可能となる。
【００２１】
また、切換手段では、マルチメディア端末の音源から出力される音声データとオーディオ音源から出力される音声データとが切り換えられて、オーディオ増幅手段に出力される。
【００２２】
そして、制御手段では、マルチメディア端末の切換制御手段が外部増幅手段によって増幅された音声データを音声出力手段に出力するように切換手段を制御するときに、マルチメディア端末の音源からの音声データをオーディオ増幅手段によって増幅して、音声出力手段及び副音声出力手段から音声を出力するようにオーディオ切換手段が制御される。すなわち、マルチメディア端末の音源から出力される音声データを外部のオーディオユニットのオーディオ増幅手段を用いて増幅して、音声出力手段及び副音声出力手段で音声を出力することができる。
【００２３】
なお、請求項４に記載の発明は、請求項５に記載の発明のように、マルチメディア端末及びオーディオユニットのそれぞれに、音声出力手段から出力する音声の音量を調節する調節手段を含んで、マルチメディア端末の切換手段によって外部増幅手段によって増幅された音声データを音声出力手段に出力するように切り換えられたときに、オーディオユニットの調節手段によって音量調節を行うようにしてもよい。
【００２４】
【発明の実施の形態】
以下、図面を参照して本発明の実施の形態の一例を詳細に説明する。
【００２５】
まず、図１を参照して、本発明の実施の形態に係わる車両用マルチメディアシステム１０の車両側の基本構成について説明する。
【００２６】
図１に示すように、本発明の実施の形態に係わる車両用マルチメディアシステム１０が搭載される車両には、音声出力手段としての２つのフロントスピーカＦＬ、ＦＲ及び副音声出力手段としての２つのリヤスピーカＲＬ、ＲＲが車両に設けられている。
【００２７】
フロントスピーカＦＬ、ＦＲは、フロントドアやダッシュボード等に設けられ、リヤスピーカＲＬ、ＲＲは、リヤドア等に設けられている。
【００２８】
リヤスピーカＲＬ、ＲＲに接続されたハーネス２６は、車両のセンタコンソール等の一般的にオーディオユニット２０が搭載されている位置まで配設されており、フロントスピーカＦＬ、ＦＲに接続されたハーネス２８はマルチメディア端末としての情報通信端末１２に接続されている。
【００２９】
リヤスピーカＲＬ、ＲＲのハーネス２６のオーディオユニット２０側の接続部（端子またはコネクタ等）Ｃ１は汎用のオーディオユニットに接続可能なものが使用されている。
【００３０】
情報通信端末１２からは、フロントスピーカＦＬ、ＦＲに接続するためのハーネス２９が上述の一般的にオーディオユニット２０が搭載される位置まで配設されており、当該ハーネス２９のオーディオユニット２０側の接続部（端子またはコネクタ等）Ｃ２も汎用のオーディオに接続可能なものが使用されている。
【００３１】
また、情報通信端末１２には、詳細は後述するが、情報通信端末１２に備えられた音源１４からの音声出力と、情報通信端末１２の外部のオーディオユニット２０からの音声出力と、をフロントスピーカＦＬ、ＦＲに切り換えて出力するための切換手段１６Ｌ、１６Ｒ、が設けられており、情報通信端末１２に備えられた音源１４からの音声出力と、情報通信端末１２の外部のオーディオユニット２０からの音声出力と、を選択的にフロントスピーカＦＬ、ＦＲから音声出力が可能なように構成されている。
【００３２】
情報通信端末１２は、ＣＰＵとこのＣＰＵにバスを介して接続された、ＲＡＭ、ＲＯＭ（またはハードディスク装置などの記憶媒体）、メモリカード読取装置、スピーカ等の音声出力装置、画像表示装置、タッチパネル等の入力装置、車両の現在位置を検出する検出手段（例えば、ＧＰＳアンテナ、車速センサ、及びジャイロセンサ等）、バックアップランプ信号などその他のセンサ、マイク、携帯電話が接続される接続部、及びハンズフリーユニットなどを備えている。
【００３３】
情報通信端末１２のＲＯＭには、ウインドウズ（Ｒ）ＣＥなどのオペレーティングシステム（ＯＳ）と、該ＯＳ上で実行されるナビゲーションシステムのプログラムや音楽・画像（静止画または動画）の再生プログラムなどが格納されている。
【００３４】
ナビゲーションシステムは、主に、メモリカード読取装置によってメモリカードから読み取られた経路案内に用いられるデータ（地図データや経路探索用データや経路案内用データなど）に基づいて、車両現在位置などの所定位置から目的地までの経路を案内する。車両現在位置としては、ＧＰＳアンテナを介して衛星から受信した信号に基づいて算出される絶対位置と、車速センサやジャイロセンサなどから受信した信号に基づいて算出される相対位置とがある。なお、目的地までの経路の案内は、音声ガイドと画像表示装置の表示によって行われる。
【００３５】
再生プログラムは、主に、メモリカード読取装置によってメモリカードから読み取られた音楽ファイルや画像ファイルに基づいて、車載のスピーカなどの音声出力装置から音楽を出力し、また、液晶ディスプレイやＣＲＴディスプレイなどの画像表示装置に画像を表示する。
【００３６】
メモリカードに記憶される音楽ファイルや画像ファイルは、例えば、外部の固定局から音楽ファイルを取得することが可能とされている。
【００３７】
続いて、情報通信端末１２と専用オーディオユニットが接続された場合の例を示す図２を参照して情報通信端末１２について詳細に説明する。
【００３８】
図２に示すように、情報通信端末１２は、ＣＰＵ１８にバスを介して画像表示装置２２、タッチパネル２４、及び音源１４が接続されている。音源１４は、上述した再生プログラムやナビゲーションシステム等の音声ガイドなどの音声データを出力する。
【００３９】
音源１４には、音声データを増幅する内部増幅手段としての２つのアンプ３０Ｌ、３０Ｒが接続されている。アンプ３０Ｒには、フロント右側に配置されたフロントスピーカＦＲが接続され、アンプ３０Ｌには、フロント左側に配置されたフロントスピーカＦＬが接続されている。すなわち、情報通信端末１２は、フロント右側スピーカ用のアンプ３０Ｒとフロント左側スピーカ用のアンプ３０Ｌとを有する。
【００４０】
それぞれのアンプ３０Ｌ、３０ＲとフロントスピーカＦＬ、ＦＲとの間には、外部のオーディオユニット２０からの音声をフロントスピーカＦＬ、ＦＲから出力するためのリレー等の切換手段１６Ｌ、１６Ｒが設けられており、該切換手段１６Ｌ、１６Ｒには外部のオーディオユニット２０からの音声をフロントスピーカに出力するための入力端子Ｃ３が接続されている。なお、入力端子Ｃ３には、外部の専用オーディオユニット２０Ａ以外の汎用オーディオユニットとフロントスピーカＦＬ、ＦＲとを接続するための汎用の接続部を有する、汎用のハーネス２９が接続される。
【００４１】
切換手段１６Ｌ、１６Ｒは、ＣＰＵ１８の制御によって切換えられるようになっている。切換手段１６Ｌ、１６Ｒは、デフォルトでは外部のオーディオユニット２０からの音声を出力するようになっており、情報通信端末１２の音源１４からの音声を出力する場合に、ＣＰＵ１８の制御によって切換手段１６Ｌ、１６Ｒが切換えられるようになっている。なお、図２では、切換手段１６Ｌ、１６Ｒは電気的なモード切換えも含む信号系統の切り換えを模式的に示したもので、必ずしも物理的なリレーによる構成を限定するものではない。
【００４２】
また、音源１４には、音源１４から出力される音声データを外部に接続される専用オーディオユニット２０Ａのアンプ３２Ｌ、３２Ｒを用いて出力するための外部出力端子Ｃ４が接続されており、該外部出力端子Ｃ４にハーネス３４を介して外部の専用オーディオユニット２０Ａを接続することによって、音源１４からの音声データを外部の専用オーディオユニット２０Ａのアンプ３２Ｌ、３２Ｒを使用して出力することが可能とされている。
【００４３】
また、情報通信端末１２のアンプ３０Ｌ、３０Ｒから出力される音声の音量調節は、画像表示装置２２に表示される音量調節ボタン等をタッチパネル２４で操作することによってなされる。
【００４４】
さらに、情報通信端末１２のＣＰＵ１８にはバスを介して外部の専用オーディオユニット２０ＡとＬＡＮ（Ｌｏｃａｌ　Ａｒｅａ　Ｎｅｔｗｏｒｋ）接続するためのＬＡＮ端子ＣＬ１が接続されており、当該ＬＡＮ端子ＣＬ１にＬＡＮハーネス３６を介して接続された外部の専用のオーディオユニット２０Ａとの通信が可能とされている。なお、ＣＰＵ１８は本発明の検出手段及び切換制御手段に相当する。
【００４５】
一方、外部の専用オーディオ２０Ａは、ＣＰＵ４０にバスを介して操作部４２及び音源４４が接続されている。音源４４は、例えば、カセットプレーヤ、ＣＤプレーヤ、ＭＤプレーヤ、その他の音楽再生プレーヤなどの音声データを出力する。また、音源４４は本発明のオーディオ音源に相当する。
【００４６】
音源４４には、音声データを増幅するオーディオ増幅手段としての２つのアンプ３２Ｌ、３２Ｒが接続されている。アンプ３２Ｌは、上述の汎用のハーネス２９を介してフロントスピーカＦＬに接続され、アンプ３２Ｒは、上述の汎用のハーネス２９を介してフロントスピーカＦＲが接続されている。また、アンプ３２Ｒには、リヤ右側に配置されたリヤスピーカＲＲが接続部Ｃ１及びハーネス２６を介してさらに接続され、アンプ３２Ｌには、リヤ左側に配置されたリヤスピーカＲＬが接続部Ｃ１及びハーネス２６を介してさらに接続されている。すなわち、専用オーディオユニット２０Ａは、フロントスピーカＦＲ及びリヤスピーカＲＲ用のアンプ３２Ｒと、フロントスピーカＦＬ及びリヤスピーカＲＬ用のアンプ３２Ｌとを有し、アンプ３２Ｌ、３２Ｒによって増幅された音声データを用いて４つのスピーカ（フロントスピーカＦＬ、ＦＲ、リヤスピーカＲＬ、ＲＲ）から音声を出力するようになっている。
【００４７】
また、音源４４とアンプ３２Ｌ、３２Ｒとの間には、情報通信端末１２からの音声をアンプ３２Ｌ、３２Ｒで増幅するためのリレー等の切換手段４６Ｌ、４６Ｒが設けられている。なお、切換手段４６Ｌ、４６Ｒは本発明のオーディオ切換手段に相当する。
【００４８】
切換手段４６Ｌ、４６Ｒは、制御手段としてのＣＰＵ４０の制御によって切り換えられるようになっている。切換手段４６Ｌ、４６Ｒは、デフォルトでは専用のオーディオユニット２０Ａの音源４４からの音声を出力するようになっており、情報通信端末１２の音源１４からの音声を出力する場合に、ＣＰＵ４０の制御によって切換手段４６Ｌ、４６Ｒが切り換えられるようになっている。なお、図２では、切換手段４６Ｌ、４６Ｒは、電気的なモード切換えも含む信号系統の切り換えを模式的に示したもので、必ずしも物理的なリレーによる構成を限定するものではない。
【００４９】
また、専用オーディオユニット２０Ａのアンプ３２Ｌ、３２Ｒから出力される音声の音量調節は、操作部４２の操作によってなされる。操作部４２はこの他に、モード切替（例えば、情報通信端末１２の音源１４からの再生等）の操作入力が可能とされている。
【００５０】
さらに、専用オーディオユニット２０ＡのＣＰＵ４０にはバスを介して情報通信端末１２とＬＡＮ接続するためのＬＡＮ端子ＣＬ２が接続されており、情報通信端末１２との通信がＬＡＮハーネス３６を介して可能とされている。なお、専用のオーディオユニット２０Ａは、情報通信端末１２の制御によって電源のオンオフも制御可能とされている。
【００５１】
ところで、情報通信端末１２は、図３に示すように、汎用オーディオユニット２０Ｂも接続可能とされている。
【００５２】
汎用オーディオユニット２０Ｂは、図３に示すように、専用オーディオユニット２０Ａと同様に音源５０を備えており、音源０５は、例えば、カセットプレーヤ、ＣＤプレーヤ、ＭＤプレーヤ、その他の音楽再生プレーヤなどの音声データを出力する。
【００５３】
音源５０には、操作部５２が接続されており、音源５０の操作が該操作部５２によってなされるようになっている。操作部５２は、例えば、音源５０の再生や停止等の操作に加えて、汎用オーディオユニット２０Ｂの音量調節等の操作を行うことが可能とされている。
【００５４】
音源５０は、音声データを増幅するアンプ５４Ｌ、５４Ｒに接続され、アンプ５４Ｒはリヤ右側に配置されたリヤスピーカＲＲに接続部Ｃ１及びハーネス２６を介して接続され、アンプ５４Ｌはリヤ左側に配置されたリヤスピーカＲＬに接続部Ｃ１及びハーネス２６を介して接続されている。
【００５５】
汎用のオーディオユニット２０Ｂが情報通信端末１２に接続される場合には、上述のＬＡＮ接続及び通信情報端末１２の音源１４との接続はされずに、切換手段１６Ｌ、１６Ｒに接続された汎用のハーネス２９のみが接続されるようになっている。すなわち、汎用のオーディオユニット２０Ｂのアンプ５４Ｌ、５４Ｒに汎用のハーネス２９の接続部Ｃ２が接続されるようになっており、これによって、汎用オーディオユニット２０Ｂの音源５０からの音声を４つのスピーカ（フロントスピーカＦＬ、ＦＲ、リヤスピーカＲＬ、ＲＲ）から出力可能なようになっている。
【００５６】
なお、本実施の形態に係わる車両に搭載されるオーディオユニット２０は、上述のように専用オーディオユニット２０Ａが搭載される場合と、汎用オーディオユニット２０Ｂが搭載される場合と、があり、この他にオーディオユニット２０自体搭載されずに、情報通信端末１２のみが搭載される場合と、の３種類の形態がある。
【００５７】
続いて、上述のように構成された車両用マルチメディアシステム１０の情報通信端末１２で行われる処理の一例について図４のフローチャートを参照して説明する。
【００５８】
情報通信端末１２では、電源が投入されると、まずステップ１００でシステムの認識が行われる。
【００５９】
続いて、ステップ１０２では、専用オーディオユニット２０ＡがＬＡＮハーネス３６を介して接続されているか否か判定される。該判定は、ステップ１００のシステム認識でＬＡＮハーネス３６を介して専用オーディオ２０Ｂが接続されているか否かの確認をすることによってなされ、該判定が肯定された場合には、ステップ１０４へ移行する。
【００６０】
ステップ１０４では、情報通信端末１２の音源１４による音楽再生か否か判定される。すなわち、タッチパネル２４等の入力装置を介して情報通信端末１２の音源１４による音楽再生が指示されたか否か判定され、該判定が肯定された場合には、ステップ１０６へ移行する。
【００６１】
ステップ１０６では、外部の専用オーディオユニット２０Ａに情報通信端末１２の音源１４による音楽再生指示がＬＡＮハーネス３６を介して外部の専用オーディオユニット２０Ａに出力される。
【００６２】
そして、ステップ１０８では、外部の専用オーディオユニット２０Ａに情報通信端末１２の音源１４から音楽データがハーネス３４を介して専用オーディオユニット２０Ａに出力されて、ステップ１１０へ移行する。すなわち、これによって、外部の専用オーディオユニット２０Ａのアンプ３２Ｌ、３２Ｒによる音楽再生ができ、情報通信端末２１の音源１４を４つのスピーカ（フロントスピーカＦＬ、ＦＲ、リヤスピーカＲＬ、ＲＲ）を使用して再生することができる。
【００６３】
一方、ステップ１０２の判定が否定された場合、及びステップ１０４の判定が否定された場合、すなわち、専用オーディオユニット２０Ａが情報通信端末１２に接続されていない場合、及び専用オーディオユニット２０Ａが情報通信端末１２に接続されていても情報通信端末１２の音源１４からの音楽再生ではない場合には、そのままステップ１１０へ移行する。
【００６４】
ステップ１１０では、ナビゲーション案内音声出力か否か判定される。該判定が肯定された場合には、ステップ１１２へ移行して、情報通信端末１２の切換手段１６Ｌ、１６Ｒが切り換えられる。すなわち、情報通信端末１２の音源１４からの音声をフロントスピーカＦＬ、ＦＲから出力するように切り換えられる。これによって、情報通信端末１２の音源１４からの音楽再生中等でも、ナビゲーション案内の音声をフロントスピーカＦＬ、ＦＲから出力するように切り換えることができる。すなわち、結果的に音楽を一時ミュートしてナビゲーション案内の音声に切り換えることができる。
【００６５】
続いて、ステップ１１４では、ナビゲーション案内音声が終了したか否か判定される。該判定が否定された場合には、肯定されるまで待機してステップ１１６へ移行する。
【００６６】
ステップ１１６では、情報通信端末１２の切換手段１６Ｌ、１６Ｒがデフォルトに切り換えられる。すなわち、外部のオーディオユニット２０Ａからの音声がフロントスピーカＦＬ、ＦＲに出力されるように切り換えられる。
【００６７】
次に、ステップ１１８では、電源オフか否か判定される。該判定が否定された場合には、ステップ１０２へ移行して、上述の処理が繰り返され、ステップ１１８の判定が肯定されたところで、一連の処理を終了する。
【００６８】
続いて、上述のように構成された車両用マルチメディアシステム１０に専用オーディオユニット２０Ａが接続された場合における、専用オーディオユニット２０Ａで行われる処理の一例について図５のフローチャートを参照して説明する。
【００６９】
専用オーディオユニット２０Ａでは、操作部５２への操作、または情報通信端末１２の音楽再生指示等により電源が投入されると、ステップ２００では、情報通信端末１２からの音楽再生指示が入力されたか否か判定される。該判定が肯定された場合には、ステップ２０２へ移行して、専用オーディオユニット２０Ａの切換手段４６Ｌ、４６Ｒ、の切り換えが行われる。すなわち、情報通信端末１２からの音声データを専用オーディオユニット２０Ａのアンプ３２Ｌ、３２Ｒで増幅するように切換手段４６Ｌ、４６Ｒの切り換えが行われる。これによって、情報通信端末１２の音源１４から出力される音楽を専用オーディオユニット２０Ａのアンプ３２Ｌ、３２Ｒで増幅して、４つのスピーカ（フロントスピーカＦＬ、ＦＲ、リヤスピーカＲＬ、ＲＲ）を用いての音楽再生ができる。
【００７０】
次に、ステップ２０４では、情報通信端末１２からの音楽再生が終了したか否か判定される。該判定が否定された場合には、肯定されるまで待機してステップ２０６へ移行する。
【００７１】
ステップ２０６では、専用オーディオユニット２０Ａの切換手段４６Ｌ、４６Ｒがデフォルトに切り換えられて、ステップ２０８へ移行する。すなわち、専用オーディオユニット２０Ａの音源４４をアンプ３２Ｌ、３２Ｒに出力するように切換手段４６Ｌ、４６Ｒが切り換えられる。
【００７２】
一方、ステップ２００の判定が否定された場合には、そのままステップ２０８へ移行する。
【００７３】
ステップ２０８では、専用オーディオユニット２０Ａの音源４４による音楽再生か否か判定される。該判定は、操作部４２により音源４４の再生が指示されたか否かによって判定され、該判定が否定された場合には、ステップ２００に戻って上述の処理が繰り返される。
【００７４】
ステップ２０８の判定が肯定された場合には、ステップ２１０へ移行して、専用オーディオユニット２０Ａの音源４４による音楽再生が行われる。すなわち、専用オーディオユニット２０Ａの音源４４から出力された音声データがアンプ３２Ｌ、３２Ｒによって増幅されて、４つのスピーカ（フロントスピーカＦＬ、ＦＲ、リヤスピーカＲＬ、ＲＲ）に出力される。これによって、専用オーディオユニット２０Ａの音源４４からの音楽再生を４つのスピーカ（フロントスピーカＦＬ、ＦＲ、リヤスピーカＲＬ、ＲＲ）を用いて行うことができる。
【００７５】
次にステップ２１２では、専用オーディオユニット２０Ａの電源がオフされたか否か判定される。該判定が否定された場合には、ステップ２００に戻って上述の処理が繰り返され、ステップ２１２の判定が肯定されたところで、一連の処理を終了する。
【００７６】
このように、本実施の形態に係わる車載用マルチメディアシステム１０の情報通信端末１２は、アンプを有する専用オーディオユニット２０Ａが外部に接続されている場合には、情報通信端末１２の音源１４による音楽再生時に、専用オーディオユニット２０Ａのアンプを用いて４つのスピーカ（フロントスピーカＦＬ、ＦＲ、リヤスピーカＲＬ、ＲＲ）から音声出力することができる。
【００７７】
また、情報通信端末１２は、汎用オーディオユニット２０Ｂを接続することも可能とされており、この場合には、情報通信端末１２の音源１４による音楽再生時には、情報通信端末１２に設けられたアンプ３０Ｌ、３０Ｒを用いてフロントスピーカＦＬ、ＦＲだけによる音声出力ができる。そして、汎用オーディオユニット２０Ｂの音源５０による音楽再生等の場合には、汎用オーディオユニット２０Ｂのアンプ５４Ｌ、５４Ｒを用いて４つのスピーカ（フロントスピーカＦＬ、ＦＲ、リヤスピーカＲＬ、ＲＲ）から音声出力ができる。
【００７８】
さらに、オーディオユニット２０が情報通信端末１２に接続されない場合でも、情報通信端末１２のアンプ３０Ｌ、３０Ｒを用いてフロントスピーカＦＬ、ＦＲから音声出力ができる。
【００７９】
なお、上記の実施の形態では、マルチメディア端末として情報通信端末１２を例に説明したが、これに限るものではなく、例えば、ナビゲーション装置やその他のマルチメディア端末を適用するようにしてもよい。
【００８０】
【発明の効果】
以上説明したように本発明によれば、マルチメディア端末の外部に設けられた外部増幅手段の接続の検出に基づいて、マルチメディア端末の音源から出力される音声データを増幅する、内部増幅手段と外部増幅手段を切り換えて、増幅された音声データを音声出力手段に出力することによって、外部増幅手段がマルチメディア端末に接続されている場合に、外部増幅手段を用いてマルチメディア端末の音源から出力される音声データを増幅することができるので、外部に接続されたオーディオユニット等の増幅手段を利用することが可能となる、という効果がある。
【図面の簡単な説明】
【図１】本発明の実施の形態に係わる車両用マルチメディアシステムの概略構成を示す図である。
【図２】本発明の実施の形態に係わる車両用マルチメディアシステムの情報通信端末に専用オーディオユニットが接続された場合の構成を示すブロック図である。
【図３】本発明の実施の形態に係わる車両用マルチメディアシステムの情報通信端末に汎用オーディオユニットが接続された場合の構成を示すブロック図である。
【図４】本発明の実施の形態に係わる車両用マルチメディアシステムの情報通信端末で行われる処理の流れを示すフローチャートである。
【図５】本発明の実施の形態に係わる車両用マルチメディアシステムに専用オーディオユニットが接続された場合における、専用オーディオユニットで行われる処理の流れを示すフローチャートである。
【符号の説明】
１０　　車両用マルチメディアシステム
１２　　情報通信端末
１４　　音源
１６Ｌ、１６Ｒ　　切換手段
１８　　ＣＰＵ
２０　　オーディオユニット
２０Ａ　専用オーディオ
２０Ｂ　汎用オーディオ
２４　　タッチパネル
３０Ｌ、３０Ｒ　　アンプ
３２Ｌ、３２Ｒ　　アンプ
３６　　ＬＡＮハーネス
４０　　ＣＰＵ
４２　　操作部
４４　　音源
４６Ｌ、４６Ｒ　　切換手段
ＦＬ、ＦＲ　　フロントスピーカ
ＲＬ、ＲＲ　　リヤスピーカ
ＣＬ１、ＣＬ２　　ＬＡＮ端子
【図１】
2004140686.tif 000003
【図２】
2004140686.tif 000004
【図３】
2004140686.tif 000005
【図４】
2004140686.tif 000006
【図５】
2004140686.tif 000007